(57)【特許請求の範囲】
【請求項１】
増ちょう剤と、基油とを含むグリース組成物であって、増ちょう剤が、下記式（１）で表されるウレア化合物であり、
Ｒ1−ＮＨＣＯＮＨ−Ｒ2−ＮＨＣＯＮＨ−Ｒ3    （１）
（式中、Ｒ2は炭素数６〜１５の２価の芳香族炭化水素基を表し、Ｒ1及びＲ3は、互いに同一でも異なっていてもよく、炭素数８〜２２のアルキル基、又はシクロヘキシル基を表す。）
基油が、下記式（２）で表される化合物の一種以上と、そのモノアルキル付加体またはトリアルキル付加体との混合物であり、式（２）で表される化合物の一種以上を、基油の全質量を基準として４０質量％以上含み、基油の４０℃における動粘度が３０〜６８．３ｍｍ2/ｓである、前記グリース組成物。
【化１】
0006726487.tif 000007
（式中、Ｒ4およびＲ5は、互いに同一でも異なっていてもよく、炭素数１０〜２６の直鎖または分岐アルキル基を表す。m及びnは、m+n＝2を満たす０以上の実数である。）
【請求項２】
増ちょう剤が、下記式（１−１）で表されるウレア化合物と、式（１−２）で表されるウレア化合物と、式（１−３）で表されるウレア化合物の一種以上である、請求項１記載のグリース組成物。
Ｒ10−ＮＨＣＯＮＨ−Ｒ2−ＮＨＣＯＮＨ−Ｒ10    （１−１）
Ｒ10−ＮＨＣＯＮＨ−Ｒ2−ＮＨＣＯＮＨ−Ｒ30    （１−２）
Ｒ30−ＮＨＣＯＮＨ−Ｒ2−ＮＨＣＯＮＨ−Ｒ30    （１−３）
（式中、Ｒ10はシクロヘキシル基を表し、Ｒ2は炭素数６〜１５の２価の芳香族炭化水素基を表し、Ｒ30は炭素数８〜２２のアルキル基を表す。）
【請求項３】
増ちょう剤が、式（１−１）で表されるウレア化合物と、式（１−２）で表されるウレア化合物と、式（１−３）で表されるウレア化合物との混合物であって、（Ｒ10のモル数）×１００／（Ｒ10のモル数＋Ｒ30のモル数）が、５０％以上である、請求項２に記載のグリース組成物。
【請求項４】
式（２）中、Ｒ4およびＲ5が、互いに同一でも異なっていてもよく、炭素数１２〜１４の直鎖または分岐アルキル基である、請求項１〜３のいずれか１項記載のグリース組成物。
【請求項５】
転がり軸受用である、請求項１〜４のいずれか１項記載のグリース組成物。
【発明の詳細な説明】
【技術分野】
【０００１】
本発明は、転がり軸受、特に、自動車部品用転がり軸受に使用するのに好適なグリース組成物に関する。
【背景技術】
【０００２】
自動車の小型軽量化や居住空間拡大の要望により、エンジンルーム空間の減少が求められており、それに伴ってオルタネータや電磁クラッチ、テンションプーリなどの電装・補機部品も小型軽量化が図られている。また静粛性のため、エンジンルームが密閉化され、使用環境が高温になる。また、EGRバルブ、ファンクラッチ、電動ターボチャージャ、トランスミッション等、電装・補機以外にも、自動車部品用転がり軸受の中でも耐熱性が求められるものもある。転がり軸受、特に、自動車部品用転がり軸受に使用するのに好適なグリースとして、高温に耐え得る潤滑寿命の長いグリースが必要になっている。
一方、自動車は寒冷地でも使用されるため、グリースには良好な低温流動性を有することも同時に求められている。
従来、自動車電装・補機部品の転がり軸受用グリースの基油として、アルキルジフェニルエーテル(ADE)が用いられている。これまでに、耐熱性に優れるADEとして、種々の化合物が報告されている（特許文献１〜６、非特許文献１）。
しかし、上述のとおり、自動車電装・補機部品に使用されるグリース組成物に対しては、これらの機械部品の小型化、軽量化、及び密閉化に伴う更なる潤滑寿命の向上と、使用環境の拡大に伴う良好な低温流動性の両立が求められる。
【先行技術文献】
【特許文献】
【０００３】
【特許文献１】特開昭５０−７３０６４号公報
【特許文献２】特開昭５０−７３０６５号公報
【特許文献３】特開昭５５−７３７９１号公報
【特許文献４】特開２００７−３９６２８号公報
【特許文献５】国際公開第２００５／０４００８１号
【特許文献６】国際公開第００／３９０６１号
【非特許文献】
【０００４】
【非特許文献１】河野雅次、「フェニルエーテル系合成潤滑油の実用例と効果」、潤滑経済、株式会社  潤滑通信社  ２０００年１２月５日、第４１７巻（２０００年１２月号）P.１８−２３
【発明の概要】
【発明が解決しようとする課題】
【０００５】
本発明の目的は、潤滑寿命及び低温流動性に優れたグリース組成物を提供することである。
【課題を解決するための手段】
【０００６】
我々は、上記目的を達成するために鋭意検討した結果、基油として特定のアルキルジフェニルエーテルを単独で又は混合して使用することにより、潤滑寿命及び低温流動性に優れたグリース組成物が得られることを見出し、本発明を完成するに至った。
すなわち、本発明により、以下のグリース組成物を提供する：
１.増ちょう剤と、基油とを含むグリース組成物であって、増ちょう剤が、下記式（１）で表されるウレア化合物であり、
Ｒ1−ＮＨＣＯＮＨ−Ｒ2−ＮＨＣＯＮＨ−Ｒ3    （１）
（式中、Ｒ2は炭素数６〜１５の２価の芳香族炭化水素基を表し、Ｒ1及びＲ3は、互いに同一でも異なっていてもよく、炭素数８〜２２のアルキル基、シクロヘキシル基又は炭素数６〜１８のアリール基を表す。）
基油として、下記式（２）で表される化合物の一種以上を、基油の全質量を基準として４０質量％以上含む、前記グリース組成物。
【化１】
0006726487.tif 000002
（式中、Ｒ4およびＲ5は、互いに同一でも異なっていてもよく、炭素数１０〜２６の直鎖または分岐アルキル基を表す。m及びnは、m+n＝2を満たす０以上の実数である。）
２.増ちょう剤が、下記式（１−１）で表されるウレア化合物と、式（１−２）で表されるウレア化合物と、式（１−３）で表されるウレア化合物と、式（１−４）で表されるウレア化合物と、式（１−５）で表されるウレア化合物の一種以上である、前記１項記載のグリース組成物。
Ｒ10−ＮＨＣＯＮＨ−Ｒ2−ＮＨＣＯＮＨ−Ｒ10    （１−１）
Ｒ10−ＮＨＣＯＮＨ−Ｒ2−ＮＨＣＯＮＨ−Ｒ30    （１−２）
Ｒ30−ＮＨＣＯＮＨ−Ｒ2−ＮＨＣＯＮＨ−Ｒ30    （１−３）
Ｒ10−ＮＨＣＯＮＨ−Ｒ2−ＮＨＣＯＮＨ−Ｒ40    （１−４）
Ｒ40−ＮＨＣＯＮＨ−Ｒ2−ＮＨＣＯＮＨ−Ｒ40    （１−５）
（式中、Ｒ10はシクロヘキシル基を表し、Ｒ2は炭素数６〜１５の２価の芳香族炭化水素基を表し、Ｒ30は炭素数８〜２２のアルキル基を表し、Ｒ40は炭素数６〜１８のアリール基を表す。）
３.式（１）中、（Ｒ10のモル数）×１００／（Ｒ10のモル数＋Ｒ30のモル数）が、５０％以上である、前記２項記載のグリース組成物。
４.式（２）中、Ｒ4およびＲ5が、互いに同一でも異なっていてもよく、炭素数１０〜２６の分岐アルキル基である、前記１〜３のいずれか１項記載のグリース組成物。
５.式（２）中、Ｒ4およびＲ5が、互いに同一でも異なっていてもよく、炭素数１２〜１４の直鎖または分岐アルキル基である、前記１〜４のいずれか１項記載のグリース組成物。
６.転がり軸受用である、前記１〜５のいずれか１項記載のグリース組成物。
【発明の効果】
【０００７】
本発明により、潤滑寿命（特に、高温下での軸受潤滑寿命）及び低温流動性に優れたグリース組成物を提供することができる。本発明のグリース組成物はまた、耐熱性にも優れる。
【発明を実施するための形態】
【０００８】
〔増ちょう剤〕
高温環境下における軸受中のグリースは、増ちょう剤の種類によって流動性の大小があり、それが軸受潤滑寿命に大きく関与する。グリースが長い潤滑寿命を示すためには、グリースが軟化・漏洩せず、潤滑部で常に留まり続ける必要がある。本発明において用いる増ちょう剤は、下記式（１）で表されるジウレア化合物である。
Ｒ1−ＮＨＣＯＮＨ−Ｒ2−ＮＨＣＯＮＨ−Ｒ3    （１）
式中、Ｒ2は炭素数６〜１５の２価の芳香族炭化水素基を表し、Ｒ1及びＲ3は、互いに同一でも異なっていてもよく、炭素数８〜２２のアルキル基、シクロヘキシル基又は炭素数６〜１２のアリール基を表す。
R2の代表例としては、以下の構造式で表されるものがあげられる。このうち、メチレン基に２つのフェニル基が連結した中央の基が最も好ましい。
【０００９】
【化２】
0006726487.tif 000003
【００１０】
増ちょう剤は、下記式（１−１）で表されるウレア化合物と、式（１−２）で表されるウレア化合物と、式（１−３）で表されるウレア化合物と、式（１−４）で表されるウレア化合物と、式（１−５）で表されるウレア化合物の一種以上であることが好ましい。
Ｒ10−ＮＨＣＯＮＨ−Ｒ2−ＮＨＣＯＮＨ−Ｒ10    （１−１）
Ｒ10−ＮＨＣＯＮＨ−Ｒ2−ＮＨＣＯＮＨ−Ｒ30    （１−２）
Ｒ30−ＮＨＣＯＮＨ−Ｒ2−ＮＨＣＯＮＨ−Ｒ30    （１−３）
Ｒ10−ＮＨＣＯＮＨ−Ｒ2−ＮＨＣＯＮＨ−Ｒ40    （１−４）
Ｒ40−ＮＨＣＯＮＨ−Ｒ2−ＮＨＣＯＮＨ−Ｒ40    （１−５）
（式中、Ｒ10はシクロヘキシル基を表し、Ｒ2は炭素数６〜１５の２価の芳香族炭化水素基を表し、Ｒ30は炭素数８〜２２のアルキル基を表し、Ｒ40は炭素数６〜１８のアリール基を表す。）
（Ｒ10のモル数）×１００／（Ｒ10のモル数＋Ｒ30のモル数）が、５０％以上であるのが好ましく、５０〜９５％であるのがより好ましく、６０〜９０％であるのがさらに好ましく、７０〜９０％であるのが特に好ましい。
【００１１】
Ｒ30の炭素数８〜２２のアルキル基としては、炭素数８〜１８の直鎖アルキル基が好ましい。炭素数８の直鎖アルキル基又は炭素数１８の直鎖アルキル基が最も好ましい。
Ｒ4の炭素数６〜１８のアリール基としては、炭素数７の芳香族炭化水素基が好ましく、p-トリル基がより好ましい。
【００１２】
増ちょう剤は、上記式（１−３）で表されるウレア化合物であるか、上記式（１−１）で表されるウレア化合物と、式（１−２）で表されるウレア化合物と、式（１−３）で表されるウレア化合物の一種類以上であるか、上記式（１−１）で表されるウレア化合物と、式（１−４）で表されるウレア化合物と、式（１−５）で表されるウレア化合物の一種類以上であることが好ましい。
【００１３】
とりわけ、増ちょう剤は上記式（１−１）で表されるウレア化合物と、式（１−２）で表されるウレア化合物と、式（１−３）で表されるウレア化合物の三種類の混合物であることが好ましく、中でも、式（１−２）及び（１−３）中のＲ30が、炭素数１８の直鎖アルキル基であることが好ましい。
このとき、炭素数１８のアルキル基とシクロヘキシル基の総モル数に対するシクロヘキシル基のモル数の割合が５０〜９５%であるのが好ましく、６０〜９０％であるのがより好ましい。特に好ましくは７０〜９０%である。
最も好ましいジウレア化合物は、ジフェニルメタンジイソシアネートと、シクロヘキシルアミン及びステアリルアミンとから合成されるジウレア化合物（以下の構造式で表される三種類の化合物の混合物）であり、特に、シクロヘキシルアミン：ステアリルアミン＝5：1（モル比）であるのが好ましい。
【００１４】
【化３】
0006726487.tif 000004
【００１５】
増ちょう剤の含有量は、本発明のグリース組成物の質量に対して、好ましくは５〜２５質量％、より好ましくは１０〜２０質量％である。５質量％を下回ると、グリースが軟らかく、漏洩することがあり、潤滑寿命を満足することができない場合がある。一方、２５質量％より多いと流動性が劣るためグリースが潤滑部に入り込みにくくなり、潤滑寿命を満足することができない場合がある。
【００１６】
〔基油〕
本発明で用いる基油は、上記式（２）により表される化合物の一種以上を含む。
式（２）中、Ｒ4およびＲ5は、互いに同一でも異なっていてもよく、炭素数１０〜２６の直鎖または分岐アルキル基を表す。m及びnは、m+n＝2を満たす０以上の実数である。
【００１７】
Ｒ4およびＲ5は、互いに同一でも異なっていてもよく、炭素数１０〜２６の直鎖または分岐アルキル基であることが好ましい。
Ｒ4およびＲ5は、互いに同一でも異なっていてもよく、炭素数１２〜１４の直鎖または分岐アルキル基であることが最も好ましい。
【００１８】
式（２）で表される化合物の製造過程で、モノアルキル付加体及び／又はトリアルキル付加体が発生し得る。したがって、本発明で用いる基油は、式（２）で表される化合物に加え、そのモノアルキル付加体及び／又はトリアルキル付加体を含んでもよい。
本発明で用いる基油はまた、グリースの基油として通常使用されている基油を含んでも良い。
併用できる基油としては、例えば、式（２）以外のエーテル系合成油、ジエステル、ポリオールエステルに代表されるエステル系合成油；ポリαオレフィンに代表される合成炭化水素油；シリコーン系合成油；フッ素系合成油があげられる。このうち、エーテル系合成油、エステル系合成油、合成炭化水素油が好ましい。エステル系合成油としては、多価アルコール（例えば、ペンタエリスリトール）と、１価の脂肪酸（例えば、カプリル酸、ノナン酸等の炭素数６〜２２の直鎖又は分岐の飽和又は不飽和脂肪酸）および多塩基酸（例えば、アジピン酸等の炭素数３〜１０の直鎖又は分岐の飽和又は不飽和二塩基酸）より合成されるコンプレックスエステル油が好ましい。特に、アジピン酸、ヘプタン酸、カプリル酸及びカプリン酸と、ペンタエリスリトールとのコンプレックスエステル油が好ましい。
【００１９】
式（２）で表される化合物は、本発明のグリース組成物の基油の全質量を基準として、４０〜１００質量％であるのが好ましい。５０〜１００質量％であるのがより好ましく、６０〜９０質量％であるのが特に好ましい。このような量で含まれると、優れた潤滑寿命と低温流動性を同時に得ることができる。
基油は、本発明のグリース組成物の全質量を基準として、少なくとも５０質量％であるのが好ましい。
４０℃における基油の動粘度は特に限定しないが、３０〜３００mm2/sであるのが好ましい。より好ましくは４０〜２００mm2/sであり、５０〜１００mm2/sが特に好ましい。４０℃における基油の動粘度が３００mm2/sより高いと、低温流動性が満足できなくなる。４０℃における基油の動粘度が３０mm2/sより低いと、蒸発してしまい、耐熱性が劣るため好ましくない。
【００２０】
〔添加剤〕
本発明のグリース組成物は、各種潤滑油やグリースに一般的に用いられる添加剤を更に含むことができる。このような添加剤としては、酸化防止剤、錆止め剤、耐荷重添加剤、ベンゾトリアゾールに代表される金属腐食防止剤、脂肪酸や脂肪酸エステルに代表される油性剤、二硫化モリブデンに代表される固体潤滑剤があげられる。このうち、酸化防止剤、錆止め剤又は耐荷重添加剤を含むのが好ましい。酸化防止剤を含むのが特に好ましい。
これら任意の添加剤の含有量は、本発明のグリース組成物の全質量に対して、通常、0.2〜25質量％である。
【００２１】
酸化防止剤としては、アミン系酸化防止剤及びフェノール系酸化防止剤等があげられる。
アミン系酸化防止剤としては、Ｎ-ｎ-ブチル-ｐ-アミノフェノール、４,４’-テトラメチル-ジ-アミノジフェニルメタン、α-ナフチルアミン、Ｎ-フェニル-α-ナフチルアミン、フェノチアジン、アルキルジフェニルアミン等が挙げられる。このうち、アルキルジフェニルアミンが好ましい。
【００２２】
フェノール系酸化防止剤としては、２,６-ジ-ターシャリーブチル-ｐ-クレゾール（ＢＨＴ）、２,２’-メチレンビス(４-メチル-６-ターシャリーブチルフェノール)、４,４’-ブチリデンビス(３-メチル-６-ターシャリーブチルフェノール)、２,６-ジ-ターシャリーブチル-フェノール、２,４-ジメチル-６-ターシャリーブチルフェノール、ターシャリーブチルヒドロキシアニソール（ＢＨＡ）、４,４’-ブチリデンビス(３-メチル-６-ターシャリーブチルフェノール)、４,４’-メチレンビス(２,３-ジ-ターシャリーブチルフェノール)、４,４’-チオビス(３-メチル-６-ターシャリーブチルフェノール)、オクタデシル-３-(３,５-ジ-t-ブチル-４-ヒドロキシフェニル)プロピオネート等があげられる。このうち、オクタデシル-３-(３,５-ジ-t-ブチル-４-ヒドロキシフェニル)プロピオネートが好ましい。
酸化防止剤としては、アミン系酸化防止剤とフェノール系酸化防止剤とを含有するのが好ましい。アルキルジフェニルアミンとオクタデシル-３-(３,５-ジ-t-ブチル-４-ヒドロキシフェニル)プロピオネートとを含有するのが特に好ましい。
酸化防止剤の含有量は、本発明のグリース組成物の全質量に対して、0.5〜6質量％であるのが好ましい。
【００２３】
錆止め剤としては、無機系錆止め剤と有機系錆止め剤が挙げられる。無機系錆止め剤としては、ケイ酸Na、炭酸Li、炭酸K、酸化Zn等の無機金属塩が挙げられる。酸化亜鉛が好ましい。有機系錆止め剤としては、亜鉛スルホネート、Caスルホネートの有機スルホン酸塩；安息香酸Na、安息香酸Liの安息香酸；セバシン酸Na等のカルボン酸塩；コハク酸、コハク酸無水物、コハク酸ハーフエステルのコハク酸誘導体；ソルビタンモノオレート、ソルビタントリオレート等のソルビタンエステル；飽和又は不飽和の炭素数４〜２２の脂肪酸、好ましくは、飽和又は不飽和の炭素数８〜１８の脂肪酸と、飽和又は不飽和の炭素数１〜４２のアミン、好ましくは、飽和又は不飽和の炭素数４〜２２のアミンからなる脂肪酸アミン塩等が挙げられる。コハク酸誘導体、有機スルホン酸塩、脂肪酸アミン塩が好ましく、特に、コハク酸ハーフエステル；亜鉛スルホネート（特に、ジノニルナフタレンスルホン酸亜鉛）；炭素数８の脂肪酸と炭素数１２のアミンとの塩、および、炭素数１８の脂肪酸と炭素数１２〜２０（混合）アミンとの塩を含む混合物が好ましい。
錆止め剤の含有量は、本発明のグリース組成物の全質量を基準にして、０．２〜１０質量％であるのが好ましい。
【００２４】
耐荷重添加剤としては、ジアルキルジチオカルバミン酸亜鉛（ＺｎＤＴＣ）やジアルキルジチオリン酸亜鉛（ＺｎＤＴＰ）が挙げられる。
耐荷重添加剤の含有量は、本発明のグリース組成物の全質量を基準にして、0.2〜5質量％であるのが好ましい。
【００２５】
〔混和ちょう度〕
本発明のグリース組成物の混和ちょう度は、好ましくは２００〜３１０である。混和ちょう度が３１０を上回ると、高速回転による漏洩が多くなり、潤滑寿命を満足することができないことがある。一方、混和ちょう度が２００を下回ると、グリースの流動性が悪くなり、潤滑寿命を満足することができないことがある。
【００２６】
〔軸受〕
本発明のグリース組成物を封入する軸受は、自動車部品用転がり軸受であるのが好ましい。自動車部品としては、電装・補機部品では、オルタネータ、カーエアコン用電磁クラッチ、中間プーリ、アイドラプーリ、テンションプーリ等が挙げられる。また、自動車電装・補機以外の自動車部品としては、EGRバルブ、ファンクラッチ、電動ターボチャージャ、トランスミッション等が挙げられる。
【００２７】
本発明の組成物としては、本質的に、増ちょう剤と、基油と、添加剤とからなり、増ちょう剤が、式（１）で表される化合物からなり、基油が、上記式（２）で表される化合物と、その類縁体（モノアルキル付加体及び／又はトリアルキル付加体）との混合物とからなるのが特に好ましい。
本発明の組成物としては、本質的に、増ちょう剤と、基油と、添加剤とからなり、増ちょう剤が、式（１）中、Ｒ2が炭素数６〜１５の２価の芳香族炭化水素基であり、Ｒ1及びＲ3が、互いに同一でも異なっていてもよく、炭素数８〜２２のアルキル基又はシクロヘキシル基であるウレア化合物からなり、基油が、上記式（２）で表される化合物と、その類縁体（モノアルキル付加体及び／又はトリアルキル付加体）との混合物とからなるのが更に特に好ましい。
本発明の組成物としては、本質的に、増ちょう剤と、基油と、添加剤とからなり、増ちょう剤が、式（１）中、Ｒ2が炭素数６〜１５の２価の芳香族炭化水素基であり、Ｒ1及びＲ3が、互いに同一でも異なっていてもよく、シクロヘキシル基又は炭素数６〜１２のアリール基であるウレア化合物からなり、基油が、上記式（２）で表される化合物と、その類縁体（モノアルキル付加体及び／又はトリアルキル付加体）との混合物とからなるのが更に特に好ましい。
【実施例】
【００２８】
＜試験グリース＞
・  試験グリースの調製
基油中で、ジフェニルメタンジイソシアネート（１モル）に所定のアミン（２モル。オクチルアミン、ステアリルアミン、シクロヘキシルアミン又はp-トルイジン）を反応させたものをベースグリースとし、そこに、基油と添加剤を加え、混和ちょう度が３００(JIS K2220、60回混和ちょう度)となるようにミル処理してグリースを調製した。
試験グリースの内容は、下記表１に示される。試験グリースの調製に用いた成分は以下のとおりである。
なお、表中の「mass%」は、試験グリースの全質量を基準とする質量％を意味する。「残部」の後ろに続く括弧の中の数字は、基油の質量比を意味する。
【００２９】
＜基油＞
・  ADE１・・・ジフェニルエーテルと１−ドデセンと１−テトラデセンとから合成されるエーテル油（68.3mm2/s@40℃）
ジアルキル付加体：79.7％
トリアルキル付加体：20.3％
・  ADE２・・・ジフェニルエーテルと１−ドデセンと１−テトラデセンとから合成されるエーテル油（15.8mm2/s@40℃）
モノアルキル付加体：97.9％
ジアルキル付加体：2.1％
・  ADE３・・・ジフェニルエーテルと１−ドデセンと１−テトラデセンとから合成されるエーテル油（103mm2/s@40℃）
モノアルキル付加体：1.3％
ジアルキル付加体：35.7％
トリアルキル付加体：63.0％
なお、本明細書におけるアルキル付加体の割合は、ゲルパーミエーションクロマトグラフ(GPCカラム：PLgel、溶離液：クロロホルム、検出器：示差屈折検出器、試料濃度：5%)によるスペクトルより求めた。
基油の40℃における動粘度はJIS K 2220 23.に従って測定した。
【００３０】
＜増ちょう剤＞
・脂環式-脂肪族ジウレアＡ・・・ジフェニルメタンジイソシアネートと、シクロヘキシルアミン及びステアリルアミンとから合成されるジウレア化合物(シクロヘキシルアミン：ステアリルアミン＝5：1（モル比）)
・脂環式-脂肪族ジウレアＢ・・・ジフェニルメタンジイソシアネートと、シクロヘキシルアミン及びステアリルアミンとから合成されるジウレア化合物(シクロヘキシルアミン：ステアリルアミン＝9.5：0.5（モル比）)
・脂環式-脂肪族ジウレアＣ・・・ジフェニルメタンジイソシアネートと、シクロヘキシルアミン及びステアリルアミンとから合成されるジウレア化合物(シクロヘキシルアミン：ステアリルアミン＝6：4（モル比）)
【００３１】
＜添加剤＞
・ 酸化防止剤A・・・アミン系酸化防止剤(アルキルジフェニルアミン)
・ 酸化防止剤B・・・フェノール系酸化防止剤(オクタデシル-３-(３,５-ジ-t-ブチル-４
-ヒドロキシフェニル)プロピオネート)
【００３２】
＜試験方法＞
・  軸受潤滑寿命試験
本試験は、高温下での軸受潤滑寿命を評価する外輪回転の試験である。下記の条件で転がり軸受を運転し、モータが過電流を生じるまでの時間、または軸受温度が+15℃上昇するまでの時間のいずれか短い方の時間を潤滑寿命とした。
軸受形式：6203
試験温度：180℃
回転数  ：15000rpm
試験荷重：ラジアル荷重1000N
評価：○；寿命時間が２０００時間以上
×；寿命時間が２０００時間未満
・  低温トルク試験（JIS K 2220 18.）
試験温度：-40℃
評価：○；低温トルクが８００未満
×；低温トルクが８００以上
結果を表１及び表２に示す。
【００３３】
【表１】
0006726487.tif 000005
【００３４】
【表２】
0006726487.tif 000006